(57)【要約】【課題】サイド・バイ・サイド形式の３次元画像信号を、高域における解像度感を保ちながら、エイリアシングの影響を低減する。【解決手段】構造部分分離部４０１は、入力した画像信号から構造部分を分離する。構造部分は物体の輪郭部分であり、輝度レベルの振幅がある程度大きく、低域から高域まで広帯域に存在する。水平方向又は２次元のローパス・フィルターローパス・フィルター４０２は、サイド・バイ・サイド・デコードした後に、エイリアシングが多く残っているｆs／４付近の構造成分を０にしてジャギーを低減するよう、サイド・バイ・サイド信号からｆs／２付近の構造成分を取り除く。【選択図】  図４
2013172427.tif 000002
【特許請求の範囲】
【請求項１】
サイド・バイ・サイド形式の画像信号を構造部分とテクスチャー部分に分離する分離部と、
前記構造部分に対しジャギーを低減する処理を行なうジャギー低減部と、
前記ジャギー低減した後の構造部分を前記テクスチャー部分とともにエンハンスするエンハンス部と、
を具備する画像信号処理装置。
【請求項２】
前記ジャギー低減部は、水平方向又は２次元方向にローパス・フィルターをかけて、水平及び垂直サンプリング周波数ｆsの２分の１付近の成分を低減する、
請求項１に記載の画像信号処理装置。
【請求項３】
トップ・アンド・ボトム形式の画像信号を構造部分とテクスチャー部分に分離する分離部と、
前記構造部分に対しジャギーを低減する処理を行なうジャギー低減部と、
前記ジャギー低減した後の構造部分を前記テクスチャー部分とともにエンハンスするエンハンス部と、
を具備する画像信号処理装置。
【請求項４】
前記ジャギー低減部は、垂直方向又は２次元方向にローパス・フィルターをかけて、水平及び垂直サンプリング周波数ｆsの２分の１付近の成分を低減する、
請求項３に記載の画像信号処理装置。
【請求項５】
前記分離部は、入力された画像信号の低域から高域に至る高帯域にわたり、輝度の振幅が所定以上となる成分を構造部分として抽出する、
請求項１又は３のいずれかに記載の画像信号処理装置。
【請求項６】
サイド・バイ・サイド形式の画像信号を構造部分とテクスチャー部分に分離する分離ステップと、
前記構造部分に対しジャギーを低減する処理を行なうジャギー低減ステップと、
前記ジャギー低減した後の構造部分を前記テクスチャー部分とともにエンハンスするエンハンス・ステップと、
を有する画像信号処理方法。
【請求項７】
トップ・アンド・ボトム形式の画像信号を構造部分とテクスチャー部分に分離する分離ステップと、
前記構造部分に対しジャギーを低減する処理を行なうジャギー低減ステップと、
前記ジャギー低減した後の構造部分を前記テクスチャー部分とともにエンハンスするエンハンス・ステップと、
を有する画像信号処理方法。
【請求項８】
サイド・バイ・サイド形式の画像信号を構造部分とテクスチャー部分に分離する分離部、
前記構造部分に対しジャギーを低減する処理を行なうジャギー低減部、
前記ジャギー低減した後の構造部分を前記テクスチャー部分とともにエンハンスするエンハンス部、
としてコンピューターを機能させるようコンピューター可読形式で記述されたコンピューター・プログラム。
【請求項９】
トップ・アンド・ボトム形式の画像信号を構造部分とテクスチャー部分に分離する分離部、
前記構造部分に対しジャギーを低減する処理を行なうジャギー低減部、
前記ジャギー低減した後の構造部分を前記テクスチャー部分とともにエンハンスするエンハンス部、
としてコンピューターを機能させるようコンピューター可読形式で記述されたコンピューター・プログラム。
【発明の詳細な説明】
【技術分野】
【０００１】
本明細書で開示する技術は、３次元画像信号を処理する画像信号処理装置及び画像信号処理方法、並びにコンピューター・プログラムに係り、特に、サイド・バイ・サイド形式又はトップ・アンド・ボトム形式の３次元画像信号に発生するエイリアシングの影響を低減する画像信号処理装置及び画像信号処理方法、並びにコンピューター・プログラムに関する。
【背景技術】
【０００２】
左右の眼に視差のある画像を表示することで、観察者に３次元的に見える３次元視画像を提示することができる。例えば、時分割３次元視画像表示システムは、互いに異なる複数の画像を時分割で表示する表示装置と、画像の観察者がかけるシャッター眼鏡の組み合わせからなる。表示装置による左眼用画像及び右眼用画像の時分割表示と、表示装置の表示切り換えに同期してシャッター眼鏡がシャッター機構により画像選択を行なうことで、観察するユーザーの脳内では左眼用画像と右眼用画像が融像され３次元視画像となる。
【０００３】
３次元画像信号の伝送フォーマットとして、例えば２次元画像信号のアクティブ領域を水平方向に２分割し、分割した領域の左右にそれぞれ左眼用画像及び右眼用画像を載せる「サイド・バイ・サイド（ＳＢＳ）」方式が知られている。ＳＢＳ化する際、元の左眼用画像及び右眼用画像のフレーム又はフィールドはそれぞれ水平方向に２分の１に圧縮されることから、水平方向の解像度は元の２次元画像の２分の１となる。
【０００４】
また、３次元画像信号の他の伝送フォーマットとして、２次元画像信号のアクティブ領域を垂直方向に２分割し、分割した領域の上下にそれぞれ左眼用画像及び右眼用画像を載せる「トップ・アンド・ボトム（Ｔｏｐ  ａｎｄ  Ｂｏｔｔｏｍ）」方式が知られている。トップ・アンド・ボトム化する際、元の左眼用画像及び右眼用画像のフレーム又はフィールドはそれぞれ垂直方向に２分の１に圧縮されることから、垂直方向の解像度は元の２次元画像の２分の１となる。
【０００５】
ここで、画像を水平方向に２分の１に圧縮することは、時間方向に２分の１に圧縮することを意味し、帯域方向に２倍になることに相当する。このため、画像信号をサイド・バイ・サイド化することにより折り返し雑音すなわちエイリアシングが発生することが懸念される。例えばブルーレイ（登録商標）ディスクには、広い帯域を有するサイド・バイ・サイド信号が格納されることが多いため、再生時にエイリアシングを生じ易い。
【０００６】
同様に、画像信号をトップ・アンド・ボトム化する際にも、画像を垂直方向に２分の１に圧縮することに伴い、エイリアシングが発生することが懸念される。
【０００７】
エイリアシングは、階段状にギザギザに見える症状すなわちジャギーとして顕著に表れる。ジャギーを低減する画像処理技術については、既に幾つかの提案がなされているが（例えば、特許文献１を参照のこと）、いずれもサイド・バイ・サイド信号やトップ・アンド・ボトム信号に発生するエイリアシングを低減するものではない。
【先行技術文献】
【特許文献】
【０００８】
【特許文献１】特開２００８−１７６７９５号公報
【特許文献２】特開２００１−２９８６２１号公報
【発明の概要】
【発明が解決しようとする課題】
【０００９】
本明細書で開示する技術の目的は、サイド・バイ・サイド形式又はトップ・アンド・ボトム形式の３次元画像信号に発生するエイリアシングの影響を好適に低減することができる、優れた画像信号処理装置及び画像信号処理方法、並びにコンピューター・プログラムを提供することにある。
【課題を解決するための手段】
【００１０】
本願は、上記課題を参酌してなされたものであり、請求項１に記載の技術は、
サイド・バイ・サイド形式の画像信号を構造部分とテクスチャー部分に分離する分離部と、
前記構造部分に対しジャギーを低減する処理を行なうジャギー低減部と、
前記ジャギー低減した後の構造部分を前記テクスチャー部分とともにエンハンスするエンハンス部と、
を具備する画像信号処理装置である。
【００１１】
本願の請求項２に記載の技術によれば、請求項１に記載の画像信号処理装置のジャギー低減部は、水平方向又は２次元方向にローパス・フィルターをかけて、水平及び垂直サンプリング周波数ｆsの２分の１付近の成分を低減するように構成されている。
【００１２】
また、本願の請求項３に記載の技術は、
トップ・アンド・ボトム形式の画像信号を構造部分とテクスチャー部分に分離する分離部と、
前記構造部分に対しジャギーを低減する処理を行なうジャギー低減部と、
前記ジャギー低減した後の構造部分を前記テクスチャー部分とともにエンハンスするエンハンス部と、
を具備する画像信号処理装置である。
【００１３】
本願の請求項４に記載の技術によれば、請求項３に記載の画像信号処理装置のジャギー低減部は、垂直方向又は２次元方向にローパス・フィルターをかけて、水平及び垂直サンプリング周波数ｆsの２分の１付近の成分を低減するように構成されている。
【００１４】
本願の請求項５に記載の技術によれば、請求項１又は３のいずれかに記載の画像信号処理装置の分離部は、入力された画像信号の低域から高域に至る高帯域にわたり、輝度の振幅が所定以上となる成分を構造部分として抽出するように構成されている。
【００１５】
また、本願の請求項６に記載の技術は、
サイド・バイ・サイド形式の画像信号を構造部分とテクスチャー部分に分離する分離ステップと、
前記構造部分に対しジャギーを低減する処理を行なうジャギー低減ステップと、
前記ジャギー低減した後の構造部分を前記テクスチャー部分とともにエンハンスするエンハンス・ステップと、
を有する画像信号処理方法である。
【００１６】
また、本願の請求項７に記載の技術は、
トップ・アンド・ボトム形式の画像信号を構造部分とテクスチャー部分に分離する分離ステップと、
前記構造部分に対しジャギーを低減する処理を行なうジャギー低減ステップと、
前記ジャギー低減した後の構造部分を前記テクスチャー部分とともにエンハンスするエンハンス・ステップと、
を有する画像信号処理方法である。
【００１７】
また、本願の請求項８に記載の技術は、
サイド・バイ・サイド形式の画像信号を構造部分とテクスチャー部分に分離する分離部、
前記構造部分に対しジャギーを低減する処理を行なうジャギー低減部、
前記ジャギー低減した後の構造部分を前記テクスチャー部分とともにエンハンスするエンハンス部、
としてコンピューターを機能させるようコンピューター可読形式で記述されたコンピューター・プログラムである。
【００１８】
また、本願の請求項９に記載の技術は、
トップ・アンド・ボトム形式の画像信号を構造部分とテクスチャー部分に分離する分離部、
前記構造部分に対しジャギーを低減する処理を行なうジャギー低減部、
前記ジャギー低減した後の構造部分を前記テクスチャー部分とともにエンハンスするエンハンス部、
としてコンピューターを機能させるようコンピューター可読形式で記述されたコンピューター・プログラムである。
【００１９】
本願の請求項８、９に係るコンピューター・プログラムはそれぞれ、コンピューター上で所定の処理を実現するようにコンピューター可読形式で記述されたコンピューター・プログラムを定義したものである。換言すれば、本願の請求項８、９に係る各コンピューター・プログラムをコンピューターにインストールすることによって、コンピューター上では協働的作用が発揮され、それぞれ本願の請求項１、３に係る画像信号処理装置と同様の作用効果を得ることができる。
【発明の効果】
【００２０】
本明細書で開示する技術によれば、サイド・バイ・サイド形式又はトップ・アンド・ボトム形式の３次元画像信号を、高域における解像度感を保ちながら、エイリアシングの影響を好適に低減することができる、優れた画像信号処理装置及び画像信号処理方法、並びにコンピューター・プログラムを提供することができる。
【００２１】
本明細書で開示する技術のさらに他の目的、特徴や利点は、後述する実施形態や添付する図面に基づくより詳細な説明によって明らかになるであろう。
【図面の簡単な説明】
【００２２】
【図１Ａ】図１Ａは、サイド・バイ・サイド方式の３次元画像信号フォーマットを示した図である。
【図１Ｂ】図１Ｂは、トップ・アンド・ボトム方式の３次元画像信号フォーマットを示した図である。
【図２】図２は、サイド・バイ・サイド化時のエイリアシング発生過程を説明するための図である。
【図３】図３は、ジャギー低減とエンハンスを実現する画像信号処理装置の構成を模式的に示した図である。
【図４】図４は、ジャギー低減及びエンハンス部３０３の内部構成を示した図である。
【図５】図５は、ジャギー低減に使用されるローパス・フィルター４０２の特性を説明するための図である。
【発明を実施するための形態】
【００２３】
以下、図面を参照しながら本明細書で開示する技術の実施形態について詳細に説明する。
【００２４】
図１Ａには、サイド・バイ・サイド方式の３次元画像信号フォーマットを示している。図示のように、２次元画像信号のアクティブ領域を水平方向に２分割し、分割した領域の左右にそれぞれ左眼用画像及び右眼用画像を載せて、１枚の画像に合成している。サイド・バイ・サイド化する際、元の左眼用画像及び右眼用画像のフレーム又はフィールドはそれぞれ水平方向に２分の１に圧縮されることから、水平方向の解像度は元の２次元画像の２分の１となる。
【００２５】
画像を水平又は垂直方向に２分の１に圧縮することは、時間方向に２分の１に圧縮することを意味し、帯域方向に２倍になることに相当する。このため、折り返し雑音すなわちエイリアシングが発生することが懸念される。サイド・バイ・サイド化時のエイリアシング発生過程について、図２を参照しながら説明する。
【００２６】
サイド・バイ・サイド化される信号は、水平方向に２分の１に圧縮され、サイド・バイ・サイド・デコードする際にｆs／２でサンプリングされ、水平方向に２倍に伸長される（但し、ｆsはサンプリング周波数）。水平方向に２分の１、つまり帯域方向に２倍に伸長されるため、とりわけ広帯域信号の場合には、サイド・バイ・サイド化時にｆs／２付近でエイリアシングが発生し、サイド・バイ・サイド・デコードした際にはｆs／４付近でのエイリアシングとなる。
【００２７】
エイリアシングを抑制するために、サイド・バイ・サイド化する前に信号をローパス・フィルター（ＬＰＦ）に通して高域成分を取り除くことが考えられる。図２（Ａ）に示す元信号をローパス・フィルターに通すことで、サイド・バイ・サイド化時には図２（Ｂ）に示すようにｆs／２付近とそれ以上のエネルギー成分を低減し、サイド・バイ・サイド・デコード時にはｆs／４付近のエネルギー成分を低減させることが期待される。
【００２８】
理想的には、ｆs／４以上の周波数成分をすべて取り除き、且つ、ｆs／４以下の周波数成分を保存することが望ましい。しかしながら、このようなローパス・フィルターは実在しないため、ｆs／４以下の成分はＦ特がある程度劣化し、また、ｆs／４以上の成分は残ってしまう。水平方向に２分の１に圧縮された左右の画像信号は１フレーム又は１フィールドの画像としてアクティブ領域内の左右に合成され、サンプリング周波数もｆsに戻され、図２（Ｃ）に示すような周波成分になる。サイド・バイ・サイド・デコードした後は、画像信号は水平方向に２倍に拡大され、図２（Ｄ）に示すような周波数成分になる。
【００２９】
また、図１Ｂには、トップ・アンド・ボトム方式の３次元画像信号フォーマットを示している。図示のように、２次元画像信号のアクティブ領域を垂直方向に２分割し、分割した領域の上下にそれぞれ左眼用画像及び右眼用画像を載せて、１枚の画像に合成している。扱う画像信号がサイド・バイ・サイド形式に場合、図２の横軸は水平周波数であるが、トップ・アンド・ボトム形式の場合は横軸を垂直周波数に置き換えれば、同様のことが言える。
【００３０】
一般に、画像信号に対し鮮鋭度のエンハンスなどの画質補正処理が行なわれる。ところが、上記のような左眼用画像信号と右眼用画像信号が合成されたサイド・バイ・サイド信号又はサイド・バイ・サイド信号に対し、そのままエンハンスを含めた画質設計を行なうと、エイリアシング成分が強調されてしまう。エイリアシング成分の症状は、斜め線が、エイリアシング成分により階段状にギザギザに見える症状すなわちジャギーとして顕著に表れる。
【００３１】
ジャギーを緩和させるために、例えば、サイド・バイ・サイド信号又はトップ・アンド・ボトム信号の再生時のエンハンスにおいて、高域のエンハンスを抑制することや、中域のエンハンスのレベルを上げる方法が考えられる。しかしながら、このような方法は、単にジャギーを目立たなくするだけで、ジャギーそのものを低減させている訳ではない。したがって、高域のディティール成分のエンハンスが弱く、精細感の乏しい画質になるか、又は、精細感は維持するが、ジャギーを強調してしまう画質になってしまう。
【００３２】
ジャギーは、とりわけ輝度レベルが大振幅となる箇所で顕著に見えてしまう。大振幅となる箇所は、具体的には、画像に含まれる物体の輪郭部分、すなわち画像の構造成分に相当する。そこで、本出願人は、画像信号から構造部分を抽出し、構造部分にのみ高域のローパス・フィルターをかけることで、ジャギーのみを低減し、その他の部分をエンハンスする方法を提案する。この方法によれば、画像のテクスチャー部分をエンハンスして画像の精細感を維持しながら、構造部分のジャギーを好適に低減することができる。
【００３３】
図３には、本実施形態に係る３次元画像信号の処理装置の構成を模式的に示している。
【００３４】
ローパス・フィルター３０１は、サイド・バイ・サイド・デコード時にはｆs／４付近のエネルギー成分を低減させることを期待して、元の３次元画像信号の高域成分を取り除く。
【００３５】
サイド・バイ・サイド化部３０２は、ローパス・フィルター３０１を通過した後の３次元画像信号に含まれる左眼用画像信号及び右眼用画像信号を、それぞれ水平方向に２分の１に圧縮して、１枚の画像フレーム又はフィールド内に載せる。
【００３６】
ジャギー低減及びエンハンス部３０３は、サイド・バイ・サイド信号を入力すると、画像の構造部分を抽出し、構造部分にのみ高域のローパス・フィルターをかけることで、ジャギーのみを低減し、その他の部分をエンハンスして出力する。
【００３７】
サイド・バイ・サイド・デコード部３０４は、画像再生時などにおいて、サイド・バイ・サイド信号を読み出し時にｆs／２でサンプリングして、画像フレーム又はフィールドを水平方向に２倍に伸長して、左眼用画像信号及び右眼用画像信号を取り出す。
【００３８】
図４には、ジャギー低減及びエンハンス部３０３の内部構成を示している。
【００３９】
構造部分分離部４０１は、入力した画像信号から、画像の構造部分を分離する。
【００４０】
ここで、物体の輪郭部分すなわち画像の構造部分は、輝度レベルの振幅がある程度大きく、周波数成分としては、低域から高域まで広帯域に存在している。一方、構造部分以外のテクスチャー部分は、輝度レベルの振幅が小さく、周波数成分としては、主に高域に存在している。例えば、本出願人に既に譲渡されている特許文献２には、上記のような構造部分の特性を利用して、画像信号から低域から高域まで広帯域にわたって、大振幅となる構造部分を検出する画像処理装置について開示されている。当該技術を適用して、構造部分分離部４０１を構成することができる。
【００４１】
構造部分分離部４０１で抽出した構造部分は、後段のローパス・フィルター４０２にかけられる。ローパス・フィルター４０２は、水平方向又は２次元のローパス・フィルターであり、ジャギー低減を行なうために、サイド・バイ・サイド・デコードした後に、エイリアシングが多く残っているｆs／４付近の構造成分を０にするよう、サイド・バイ・サイド信号からｆs／２付近の構造成分を取り除く。
【００４２】
図５（Ａ）には、ジャギー低減前のサイド・バイ・サイド信号を示している。図示のように、ｆs／２付近にエイリアシングが発生している。また、図５（Ｂ）には、水平方向のローパス・フィルター４０２によりジャギー低減した後のサイド・バイ・サイド信号を示している。図示のように、ローパス・フィルター４０２にかけることで、サイド・バイ・サイド信号からｆs／２付近のエイリアシング成分が取り除かれている。
【００４３】
また、図５（Ｃ）には、ローパス・フィルター４０２に使用される２次元ローパス・フィルターの特性例を示している。ジャギーの発生する斜め線は、水平と垂直の両方向に成分を持っている。図中のＦ点を中心にローパス・フィルターをかける方が、Ｆ特を落とす範囲がより少ないジャギー低減を実現することができる。
【００４４】
他方、減算部４０３では、元の入力画像信号から、構造部分分離部４０１で抽出した構造部を引き算して、テクスチャー部分を抽出する。テクスチャー部分はローパス・フィルター４０２をバイパスするので、ジャギー低減の際に、テクスチャー部分に含まれる高域の解像度劣化を回避することができる。
【００４５】
その後、加算部４０４は、ジャギー低減後の構造部分と、ジャギー低減をバイパスしたテクスチャー部分を合成する。この画像信号に対し、エンハンス部４０５で画像のエンハンスを行なうことで、ジャギーを強調しない画像のエンハンスを実現することができ、画像の精細感を維持することができる。
【００４６】
なお、本明細書で開示する技術は、サイド・バイ・サイド・デコードした後にｆs／４付近のエイリアシングを低減するために、水平圧縮しているｆs／２付近の周波数にローパス・フィルターをかけるものである。ここで、３次元表示するときの左眼画像信号及び右眼画像信号をフレーム・シーケンシャルに配置した信号に対し、直接ｆs／４付近のエイリアシングを低減するローパス・フィルターを挿入するという構成例も考えられる。この場合、左眼画像及び右眼画像個別のジャギー低減回路は不要であり、上記と同様に１つの回路で実現できる。
【００４７】
また、扱う画像信号がサイド・バイ・サイド形式に場合、ローパス・フィルター４０２は上述したように水平方向又は２次元のローパス・フィルターであるが、トップ・アンド・ボトム形式の場合は垂直方向又は２次元のローパス・フィルターに置き換えれば、同様のことが言える。
【００４８】
なお、本明細書の開示の技術は、以下のような構成をとることも可能である。
（１）サイド・バイ・サイド形式の画像信号を構造部分とテクスチャー部分に分離する分離部と、前記構造部分に対しジャギーを低減する処理を行なうジャギー低減部と、前記ジャギー低減した後の構造部分を前記テクスチャー部分とともにエンハンスするエンハンス部と、を具備する画像信号処理装置。
（２）前記ジャギー低減部は、水平方向又は２次元方向にローパス・フィルターをかけて、水平及び垂直サンプリング周波数ｆsの２分の１付近の成分を低減する、上記（１）に記載の画像信号処理装置。
（３）トップ・アンド・ボトム形式の画像信号を構造部分とテクスチャー部分に分離する分離部と、前記構造部分に対しジャギーを低減する処理を行なうジャギー低減部と、前記ジャギー低減した後の構造部分を前記テクスチャー部分とともにエンハンスするエンハンス部と、を具備する画像信号処理装置。
（４）前記ジャギー低減部は、垂直方向又は２次元方向にローパス・フィルターをかけて、水平及び垂直サンプリング周波数ｆsの２分の１付近の成分を低減する、上記（３）に記載の画像信号処理装置。
（５）前記分離部は、入力された画像信号の低域から高域に至る高帯域にわたり、輝度の振幅が所定以上となる成分を構造部分として抽出する、上記（１）又は（３）のいずれかに記載の画像信号処理装置。
（６）サイド・バイ・サイド形式の画像信号を構造部分とテクスチャー部分に分離する分離ステップと、前記構造部分に対しジャギーを低減する処理を行なうジャギー低減ステップと、前記ジャギー低減した後の構造部分を前記テクスチャー部分とともにエンハンスするエンハンス・ステップと、を有する画像信号処理方法。
（７）トップ・アンド・ボトム形式の画像信号を構造部分とテクスチャー部分に分離する分離ステップと、前記構造部分に対しジャギーを低減する処理を行なうジャギー低減ステップと、前記ジャギー低減した後の構造部分を前記テクスチャー部分とともにエンハンスするエンハンス・ステップと、を有する画像信号処理方法。
（８）サイド・バイ・サイド形式の画像信号を構造部分とテクスチャー部分に分離する分離部、前記構造部分に対しジャギーを低減する処理を行なうジャギー低減部、前記ジャギー低減した後の構造部分を前記テクスチャー部分とともにエンハンスするエンハンス部、としてコンピューターを機能させるようコンピューター可読形式で記述されたコンピューター・プログラム。
（９）トップ・アンド・ボトム形式の画像信号を構造部分とテクスチャー部分に分離する分離部、前記構造部分に対しジャギーを低減する処理を行なうジャギー低減部、前記ジャギー低減した後の構造部分を前記テクスチャー部分とともにエンハンスするエンハンス部、としてコンピューターを機能させるようコンピューター可読形式で記述されたコンピューター・プログラム。
【産業上の利用可能性】
【００４９】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００５０】
本明細書で説明した実施形態における画像信号処理は、サイド・バイ・サイド形式又はトップ・アンド・ボトム形式の画像信号の処理に好適に適用することができる。
【００５１】
要するに、例示という形態で本技術を開示してきたのであり、本明細書の記載内容を限定的に解釈するべきではない。本技術の要旨を判断するためには、特許請求の範囲を参酌すべきである。
【符号の説明】
【００５２】
３０１…ローパス・フィルター
３０２…サイド・バイ・サイド化部
３０３…ジャギー低減及びエンハンス部
３０４…サイド・バイ・サイド・デコード部
４０１…構造部分分離部
４０２…ローパス・フィルター
４０３…減算部
４０４…加算部
４０５…エンハンス部
【図３】
2013172427.tif 000003
【図４】
2013172427.tif 000004
【図１Ａ】
2013172427.tif 000005
【図１Ｂ】
2013172427.tif 000006
【図２】
2013172427.tif 000007
【図５】
2013172427.tif 000008